(57)【要約】【課題】可撓性プランジャーの引き戻し式安全注射器を提供する。【解決手段】可撓性プランジャーの引き戻し式安全注射器は、針頭４０、針筒５０及びピストン６０からなる。針頭は、針頭が針筒に引き込まれる引き戻し機構を設けている。ピストン前端には可撓性プランジャー６１を設けると共に、該プランジャーを貫通する掛止凸部６２２を設け、前記プランジャーが、注射を終えて図示の前記針筒の注射空間部の頂点にある時、さらに力を加えてピストン６２を押し込むことによって、可撓性材料からなるプランジャー６１が変形してつぶれ、その中心に仕込まれた掛止凸部６２２がプランジャー前端から突出して針頭を針支持部５１にセットする針座４２の針止め部４３の掛止部に押し込まれて掛止し、この状態でピストンを引き戻すことによって針頭を針筒中に安全に引き込むことができる。【選択図】図３
2004136088.tif 000002
【特許請求の範囲】
【請求項１】
引き戻し式安全注射器であって、
　少なくとも針と針座とからなり、その下方に引き戻し機構を設けている針頭と、
　上方に針支持部、下方に注射空間部を備え、前記針頭が前記針支持部に結合される針筒と、
　前記針筒後方から、前記針筒の前記注射空間部に押し込まれ、その前端に、可撓性材質からなり、圧力を受けて変形する可撓性プランジャー、及び引き戻し機構と結合する結合素子を設けているピストンと、
からなり、装設時、前記プランジャーが、前記針筒の注射空間部の頂点にある時（プランジャーが変形する前）、前記ピストン上の結合素子と前記引き戻し機構と結合せず、前記ピストンが設定された以上の押し込み力を受けた時、前記プランジャーは圧力を受けて変形し、前記結合素子が移動し、前記針頭の引き戻し機構と結合することを特徴とする可撓性プランジャーを備えた引き戻し式安全注射器。
【請求項２】
前記針頭の引き戻し機構は、前記針頭底座に結合部を設け、前記ピストンの結合素子と結合することを特徴とする請求項１に記載の可撓性プランジャーを備えた引き戻し式安全注射器。
【請求項３】
前記針頭結合部は、底座中央部分に形成された歯止め部を設け、前記ピストンの結合素子は、前記プランジャー中央の係止凸部から突出し、前記係止凸部の底部は、前記プランジャー頂面と接触状態で、前記係止凸部はプランジャー柱前端に設けられ、前記プランジャー柱は前記プランジャーを支承し、前記ピストンの前端に設けられていることを特徴とする請求項２に記載の可撓性プランジャーを備えた引き戻し式安全注射器。
【請求項４】
前記係止凸部前端は延伸柱を設けて、前記係止凸部が針頭底座の歯止め部に押し込まれる時、前記延伸柱は注射液管道空間に進入することを特徴とする請求項３に記載の可撓性プランジャーを備えた引き戻し式安全注射器。
【請求項５】
前記注射空間部頂点の注射液剤の目盛りは０であることを特徴とする請求項１に記載の可撓性プランジャーを備えた引き戻し式安全注射器。
【請求項６】
引き戻し式安全注射器であって、
　少なくとも針と針座とからなり、自動引き戻し機構を設けている針頭と、
上方に針支持部、下方に注射空間部を備え、前記針頭が前記針支持部に結合される針と、
　前記針筒後方から、前記針筒の前記注射空間部に押し込まれ、その前端に、可撓性材質からなり、圧力を受けて変形する可撓性プランジャー、及び引き戻し機構と結合する結合素子を設けているピストンと、
からなり、装設時、前記プランジャーは、前記針筒内の注射空間部の頂点で（プランジャーが変形する前）、前記ピストン上の起動素子に自動引き戻し機構を起動させず、前記ピストンが設定された押し込み力以上の力を受けた時、前記プランジャーは圧力を受けて変形し、前記起動素子が前方に移動し、前記自動引き戻し機構を起動して針頭を前記針筒に引き入れることを特徴とする可撓性プランジャーを備えた引き戻し式安全注射器。
【発明の詳細な説明】
【技術分野】
【０００１】
　本発明は、可撓性プランジャーの引き戻し式安全注射器に関するものであって、特に、プランジャーが可撓性材質からなり、薬剤及び注射液の抽取時に、プランジャー前端の端面が、針筒頂端に位置してメモリ通りに精確に薬剤を抽取し、安全に注射することが出来る。注射後、更にピストンを押し込むことによってプランジャーは押圧されて変形し、ピストンに設けられた結合素子、或いは、起動素子に、針頭に設けられた引き戻し機構を結合、或いは起動させて注射針を針筒内に引き入れ、
使用後の注射針による事故を防止する。この構造は、各種手動、自動引き戻し式注射器と針筒、或いは類似する物の構造に適用することができる。
【背景技術】
【０００２】
医学の発達に伴って、注射器で薬剤を投与するのは、即効性のある治療方式であり、医学界で広く採用されている。また、注射器は一般に使い捨てであるため、注射器の廃棄処理時に、誤って医療従事者に刺さって細菌に感染するのを如何にして防止するか、廃棄注射器の体積を如何に減少するかが、設計の重点となっており、引き戻し式安全注射器が生まれた。いわゆる引き戻し式安全注射器というのは、医療従事者が針筒のピストンを頂点まで押す時、注射針を針筒内に引き戻すことが出来、注射器を安全に廃棄処理することが出来るものである。
　図１は、公知の手動引き戻し式安全注射器の構造を示す図である。ピストン１０は、針筒３０内で前後に押し引き出来、ピストン１０の前端は、プランジャー１１と係止凸部２１とを備える。係止凸部２１は、プランジャー１１前端の端面の外部に突出して、長さがｂである頚柱２０部を形成している。針頭１の底部には、結合部ａが設けられ、ピストン１０が前方に押されて頂点に達する時、係止凸部２１は、結合部ａに挿入されて係合状態を形成し、針頭１を針筒３０内に引き戻す。
　図１で示される針頭の結合部は針頭１の底部中央に設けられ、係止凸部２１がピストン１０の中央に設けられて、結合素子を形成する。公知の手動引き戻し式安全注射器において、その引き戻し構造は、例えば、針頭の結合部が針頭底座の外周に設けられ、ピストンの結合素子がピストンの外周に設けられて、互いに係合、或いは嵌合するような、その他の方式もある。
どの種の手動引き戻し式安全注射器であっても、針筒３０が廃棄されていない時、不用意にピストン１０の結合部が頂点に押され、針頭引き戻し機構の結合部と係合するのを避けるため、一般に、ピストン１０前端の結合素子を針頭１底座と接触させる時、一定の大きさ以上の力量でピストン１０を推動しないと結合素子と結合部ａが係合しないように設計されている。
引き戻し式安全針筒は、弾性素子の回復力を利用して、自動引き戻し式安全注射針を設計しているが、このような自動引き戻し式安全針筒は、ばね引き戻し機構が起動する前、ピストンに設けられた起動素子が押し込まれて、一定の抵抗を克服しないと、引き戻し機構が起動しなくなっている。
　医療従事者は、一般に、注射器で薬剤を抽取する前、まず、注射器のピストン後端の押し棒を後方に引き、空気を針筒に引き入れる。その後、針を薬ビン内に刺し入れ、且つ、ピストンを前方に押し、針筒内の空気を薬ビンに放出し、ピストンを今度は、メモリに従って引き戻し、一定剤量の薬剤を針筒に抽入する。患者に対し注射を行う際、薬剤の残留を防ぐため、医療従事者はピストンを頂点まで押し、故に、手動或いは自動引き戻し式安全注射器は、注射の過程で、最後に力量を絞って、針頭引き戻し機構を結合、起動する抗力を克服しなければならない。
上述の公知の引き戻し式安全注射器は、以下のような欠点がある：
１．図１で示されるように、公知の引き戻し式安全注射器は、プランジャー１１と係止凸部２１間に距離ｂ（即ち、頚柱２０の長さ）を有するため、注射前に注射液を抽取する時、注射液剤量の抽取量が医療従事者の不注意で必要量以下になり、剤量の不足による医療効果の減少を招く恐れがある。
２．医療従事者が注射により患者に薬剤を投与する時、ピストン１１前端の端面がメモリ頂点の指示線Ａで示される０ミリリットルの位置に達することが出来ず、プランジャー１１と係止凸部２１間の距離ｂの空間に注射液が存在し、医療従事者は押圧してプランジャー１１を頂点まで押さなければならず、注射過程で突然に押圧しなければならないため、患者にとっては苦痛である。
【特許文献１】特開2001-037878
【発明の開示】
【発明が解決しようとする課題】
【０００３】
よって、本発明は、精確に薬剤を抽取し、ピストンを安定して頂点まで押して、注射を完了し、注射針が人体から抜出された後、施力してピストンを推動し、引き戻すことが出来る可撓性プランジャーの引き戻し式安全注射器を提供することを目的とする。
　本発明による引き戻し式安全注射器は、可撓性プランジャー、及びプランジャー前端面とピストンの結合素子、或いは起動素子間の距離を減少させる設計により、精確に薬剤を抽取し、薬剤を注射する時、突然に加力せずにピストンを頂点まで押して、患者に苦痛を与えないようにする。
　本発明による引き戻し式安全注射器は、針筒内に残留する注射液の残量を減少させることをもう一つの目的とする。
【課題を解決するための手段】
【０００４】
上述の目的を達成するため、本発明は、針頭と、針筒と、ピストンと、からなり、針頭は、針頭が針筒に引き込まれる自動引き戻し機構、或いは手動引き戻し機構を設け、ピストン前端には可撓性プランジャーを設けると共に、針頭自動引き戻し機構を起動出来る作動装置、或いは、針頭手動引き戻し機構に結合出来る結合素子を、設け、ピストンは、針筒後端の開口から針筒内に挿入される。針筒は中空の筒体で、その前方は、針頭と結合される支持部を設け、後方は、注射空間部である。プランジャーは可撓性材質からなり、ピストン前端の結合素子或いは起動素子は、その底面がちょうどプランジャー前端の端面から突出している。注射使用の状態下で、プランジャーの上表面とピストン結合素子、或いは起動素子の底面は接触している。よって注射時、プランジャーピストンは安定して頂点まで押し込まれ、薬剤を全て注射することが出来る。廃棄する時、プランジャーを押して、結合素子或いは起動素子を前方に移動させ、プランジャー上表面との接触状態を解除し、針頭の引き戻し機構に押入れ、自動引き戻し機構を起動するか、或いは、手動引き戻し機構の結合部と結合させて、針頭を筒内に引き入れる。
【発明の効果】
【０００５】
精確に薬剤を抽取し、薬剤を注射する時、突然に加力せずにピストンを頂点まで押して、患者に苦痛を与えないようにする。更に、針筒内に残留する注射液の残量を減少させることが出来る。
【発明を実施するための最良の形態】
【０００６】
図２は、可撓性プランジャーの引き戻し式安全注射器の具体例を示す図であり、針頭４０、針筒５０及びピストン６０からなる。
　針頭４０は、針４１及び針４１の針座４２からなり、針座４２内部は中空管状になっている。針座４２の中空管内には歯止め部４３を設け、針４１の中空軸と針座４２の中央部分は中空状態であると共に、歯止め部４３の中央部分と互いに相通し、薬剤が通過する空間となっている。
針筒５０は円柱形中空体で、針筒後方は、注射空間部５２で、その外部には、薬剤量を表示する目盛り（単位はミリリットル）が印刷されている。針筒５０前方は、針支持部５１を形成し、針頭４０の針座４２を収容する。
　ピストン６０は、プランジャー６１と押し棒６２からなり、プランジャー６１は、可撓性材料からなり、押し棒６２前端は、プランジャー柱６２１を設け（図３を参照する）、プランジャー柱６２１頂端は、係止凸部６２２を設け、プランジャー６１はプランジャー柱６２１に連結されている。
【０００７】
図２及び図３を参照すると、本具体例のプランジャー６１は、可撓性材質からなり、押し棒６２前端のプランジャー柱６２１の長さは、プランジャー６１の厚さに相当し、即ち、プランジャー６１がプランジャー柱６２１に貫接される時、プランジャー柱６２１は、係止凸部６２２だけがプランジャー６１から突出し、係止凸部６２２底端はプランジャー６１と接している。図３及び図４を参照すると、押し棒６２が後方に引かれて薬剤を抽取する時、プランジャー６１前端端面は、目盛りＡで示される０ミリリットルの位置に位置し、故に、この位置より精確に薬剤を抽取することが出来る。
　薬剤を注射する時、プランジャー６１の前端端面とプランジャー柱６２１の係止凸部６２２底面が接した状態で、安定して頂点まで押し、薬剤を全て注射することが出来る。廃棄する時、図５及び図６で示されるように、プランジャー６１は圧縮されて変形し、プランジャー柱６２１の係止凸部６２２は、プランジャー６１上表面との接触を絶ち、針座４２の歯止め部４３に押し込まれ、歯止め部４３と係合状態を形成し、針頭４０を針筒５０内に引き入れる。
更に、図８及び図９は、本発明と公知の引き戻し式安全注射器の注射時に施力する状態をそれぞれ示したもので、Ｙ軸は医療従事者の施力の大きさを示し、Ｘ軸は薬剤の残量を示す。原点は針筒内の薬剤量Ｎミリリットルを示し、次第に０ミリリットルになる。
【０００８】
本発明と公知の引き戻し式安全注射器針筒内には、Ｎミリリットルの薬剤が注入されており、注射時に残剤量がｂミリリットルになる前、本発明と公知の引き戻し式安全注射器が施力する力の大きさは異なり、目盛りｂまで打つ時、公知の引き戻し式安全注射器は、プランジャー柱の係止凸部は押されて、針座底部の歯止め部に接触する時に抵抗を受けるため、医療従事者は、力を加えないと残った薬剤を注射することが出来ず、施力の増加は患者にとって苦痛である。本発明は注射時に穏やかに力を加え、プランジャーの頂点まで力を加える必要が無く、注射を完了することが出来る。
図１０及び図１１を参照すると、本発明は具体例中において、係止凸部６２２前端に、延伸柱６２３を形成する。故に、プランジャー柱６２１の係止凸部６２２は、針座４２の歯止め部４３に差し込まれて、係合関係を形成する時、係止凸部６２２前端が形成する延伸柱６２３は、針座４２の空間に深く挿入されて、残留する注射液を減少させることが出来る。
　本発明の各図において、針筒５０の針支持部５１は、縮径状態を形成しているが、針頭４０が針４１を交換できる構造である場合、底座面積が増大する時、針筒５０の針支持部５１を筒状に形成し、針支持部５１と針筒５０全体の内径を等しくして、同様に、針頭４０が挿入結合できるようにする。
【０００９】
また、図１２で示されるように、針頭７０が、針７１、針座７２、及び引き戻し機構（歯止め部７３１などから構成）を備える引き戻しコネクタ７３からなる時、本発明の可撓性プランジャー設計を実施することが出来る。
　また、上述の図式と説明において、針頭底座の歯止め部４３は、手動引き戻し機構の結合部を構成し、歯止め状にするのと針頭底座中央に設ける設計は、手動引き戻し式針筒の具体例に過ぎない。事実、本発明の可撓性プランジャー及びプランジャー柱６２１などから構成されるピストン結合素子の構造は、各種異なる形状、異なる位置のピストン結合素子、針頭結合部の手動引き戻し式安全針筒に適用できる。また、本発明の可撓性プランジャー及びそれと結合素子との構造は、自動引き戻し式の安全針筒に応用することも出来る。この時、ピストン上の結合素子は、針頭引き戻し機構を起動する起動素子を形成する。
　本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本發明の保護範囲は、特許請求の範囲で指定した内容を基準とする。
【図面の簡単な説明】
【００１０】
【図１】公知の注射器を示した説明図である。
【図２】本発明の具体例を示した説明図である。
【図３】本発明の具体例を示した断面図である。
【図４】本発明の具体例による注射液を抽取する状態を示した断面図であ　　　　　る。
【図５】本発明の具体例による係止凸部が歯止め部に係合する状態を示した断面図である。
【図６】本発明の具体例による係止凸部が歯止め部に係合する状態を示した拡大図である。
【図７】本発明の具体例による針頭引き戻し状態を示した断面図である。
【図８】本発明の引き戻し式安全注射器において、薬剤をＮミリリットルから０ミリリットルまで注射する時の施力を示した説明図である。
【図９】公知の引き戻し式安全注射器において、薬剤をＮミリリットルから０ミリリットルまで注射する時の施力を示した説明図である。
【図１０】本発明による、係止凸部頂端に延伸柱を備えるもう一つの具体例を示した説明図である。
【図１１】図８中の係止凸部が歯止め部係止凸部頂端に係合する状態を示した拡大図である。
【図１２】本発明による、針頭が引き戻しコネクタを備える構造に応用した実施例を示す図である。
【符号の説明】
【００１１】
ａ…結合部
　ｂ…距離
　１…針頭
　１０…ピストン
　１１…プランジャー
　１２…目盛り指示線
　２０…頚柱
　２１…係止凸部
　３０…針筒
　４０…針頭
　４１…針
　４２…針座（針座底座）
　４３…歯止め部
　５０…針筒
　５１…針支持部
　５２…注射空間部
　Ａ…目盛り頂点指示線
　６０…ピストン
　６１…プランジャー
　６２…押し棒
　６２１…プランジャー柱
　６２２…係止凸部
　６２３…延伸柱
　７０…針頭
　７１…針
　７２…針座
　７３…コネクタ
　７３１…引き戻し機構（歯止め部）
【図１】
2004136088.tif 000003
【図２】
2004136088.tif 000004
【図３】
2004136088.tif 000005
【図４】
2004136088.tif 000006
【図５】
2004136088.tif 000007
【図６】
2004136088.tif 000008
【図７】
2004136088.tif 000009
【図８】
2004136088.tif 000010
【図９】
2004136088.tif 000011
【図１０】
2004136088.tif 000012
【図１１】
2004136088.tif 000013
【図１２】
2004136088.tif 000014